(57)【特許請求の範囲】
【請求項１】
初期充電されるコンデンサから半導体スイッチのオン制御でパルス電流を発生するパルス発生回路と、前記パルス電流を磁気圧縮して負荷に供給する磁気パルス圧縮回路とを備え、前記パルス発生回路は負荷側からのキックバック電流を前記コンデンサの充電電流としてエネルギーを回生するパルス電源において、
前記エネルギー回生後の前記コンデンサの充電開始から充電終了までの計時をする計時手段と、
正常時の前記コンデンサの充電開始から充電終了までの充電時間が設定され、この充電時間に対して前記計時手段の計時時間が短いときに前記負荷及び磁気パルス圧縮回路の異常検出出力を得る比較回路とを備えたことを特徴とするパルス電源。
【請求項２】
初期充電されるコンデンサから半導体スイッチのオン制御でパルス電流を発生するパルス発生回路と、前記パルス電流を磁気圧縮して負荷に供給する磁気パルス圧縮回路とを備え、前記パルス発生回路は負荷側からのキックバック電流を前記コンデンサの充電電流としてエネルギーを回生するパルス電源において、
前記エネルギー回生後の前記コンデンサの充電開始から充電終了までの充電時間が正常時の充電時間以下のときに前記負荷及び磁気パルス圧縮回路の異常と判定することを特徴とする異常検出方法。
【請求項３】
初期充電されるコンデンサから半導体スイッチのオン制御でパルス電流を発生するパルス発生回路と、前記パルス電流を磁気圧縮して負荷に供給する磁気パルス圧縮回路とを備え、前記パルス発生回路は負荷側からのキックバック電流を前記コンデンサの充電電流としてエネルギーを回生するパルス電源において、
前記エネルギー回生後の前記コンデンサの充電電圧レベルが正常時の充電電圧を越えるときに前記負荷及び磁気パルス圧縮回路の異常と判定することを特徴とする異常検出方法。
【発明の詳細な説明】
【０００１】
【発明の属する技術分野】
本発明は、電力用半導体スイッチを用いたパルス発生回路と磁気圧縮回路を組み合わせて狭幅の大電流パルスを発生するパルス電源に係り、特にキックバックエネルギー回生方式における負荷短絡等の異常を検出する装置並びに方法に関する。
【０００２】
【従来の技術】
図３にパルス電源の構成例を示す。パルス発生回路１は、電力用の初段コンデンサＣ0を設け、このコンデンサＣ0を充電器２により初期充電しておき、半導体スイッチＳＷのオン制御でコンデンサＣ0から磁気パルス圧縮回路３の入力段パルストランスＰＴにパルス電流を供給する。
【０００３】
磁気パルス圧縮回路３は、パルストランスＰＴで昇圧したパルス電流Ｉ0でコンデンサＣ1を高圧充電し、このコンデンサＣ1の充電電圧で可飽和リアクトルＳＩ1が磁気スイッチ動作することによりコンデンサＣ1からコンデンサＣ2への狭幅のパルス電流Ｉ1を発生させてコンデンサＣ2を高圧充電し、さらにコンデンサＣ2の充電電圧で可飽和リアクトルＳＩ2が磁気スイッチ動作することによりコンデンサＣ2からエキシマレーザやグロー放電を利用した薄膜形成装置などの負荷装置４に数十ｎｓ〜数μｓの狭幅・高電圧のパルス電流Ｉ2を供給する。この電流Ｉ2は、１秒間に数十〜数千ショットの繰り返しになる。
【０００４】
このような構成のパルス電源において、負荷装置４になる放電負荷は、与えられたパルス電力を全て消費することなく、一部のエネルギーがパルス電源に戻ってくる。この戻ってくるエネルギーのことをキックバックエネルギーと称しているが、これを抵抗で消費させると、高出力（単位時問当たりのショット数が高い）装置では抵抗の損失が無視できないレベルになるほか、抵抗の冷却系も含めて電源装置が大型化する。
【０００５】
このため，パルス発生回路１は、キックバックエネルギーを初段のコンデンサＣ0に回生しておき，次の充電サイクルに充電エネルギーの一部として利用する回生形に構成される。なお、キックバック電流の方向は、初段コンデンサから最初のパルスを発生するに必要な充電方向とは逆向きになる。したがって、回生するためにはキックバック電圧を反転させる必要がある。
【０００６】
このため、パルス発生回路１は、半導体スイッチＳＷ0のオンにより磁気アシスト用可飽和リアクトルＳＩ0を通してコンデンサＣ0を初期充電し、この後に半導体スイッチＳＷのオンによりコンデンサＣ0からダイオードＤ2を通してコンデンサＣ0の放電をすることでパルストランスＰＴにパルスを供給する。
【０００７】
この後、パルストランスＰＴからのキックバック電流が半導体スイッチＳＷを経てコンデンサＣ0を逆極性に充電する。この充電には、可飽和リアクトルＳＩ0を通した振動電流でなされ、コンデンサＣ0が初期充電時とは逆極性に充電される。
【０００８】
この逆極性に充電されたコンデンサＣ0から、ダイオードＤ0及び半導体スイッチＳＷ0を通してコンデンサＣ0を初期充電時の極性に反転充電することでキックバックエネルギーの回生を得る。
【０００９】
なお、キックバックエネルギーの回生方法は、図３の構成に限らず、種々の回路構成のものがある。また、磁気パルス圧縮回路３の回路構成も種々のものがある。
【００１０】
【発明が解決しようとする課題】
従来のパルス電源において、エキシマレーザ装置等になる負荷装置４は、ピーキングコンデンサＣPを有しているため、このコンデンサＣPが故障した場合には充電器２やパルス発生回路１から見て負荷の短絡になる。また、コンデンサＣ0，Ｃ1，Ｃ2の故障では充電器２から見て負荷の短絡になる。
【００１１】
こうした故障発生には、その検出により装置の運転を停止するのが回路保護等から要望される。しかしながら、負荷短絡の検出のために、例えば、各コンデンサに電圧や電流の検出器を設けることは、パルス電源の出力電圧が１０数ｋＶ〜５００ｋＶと非常に高く、パルス幅も数μｓ以下の非常に狭幅になるため、検出器が大型化したり、コスト高になってしまう。
【００１２】
そこで、従来では負荷装置４がエキシマレーザ装置など光を発生することを利用し、この光の発生の途切れで異常発生を検出している。
【００１３】
しかしながら、負荷装置４の光出力は、レーザガス等の条件で変動することが多くなるため、光検出による異常検出では光の発生無しが一定時間継続するまでの検出時間を長く設定しておくことが多く、その間も負荷短絡状態で運転を継続することは装置の責務が厳しく、回路設計上余裕を持たせることになり、電源装置自体が大型化、コスト高になってしまう。
【００１４】
本発明の目的は、負荷短絡検出のための高電圧・狭幅パルス電流の検出器を不要にしながら、負荷短絡も含めた異常検出を迅速・確実にしたパルス電源並びに異常検出方法を提供することにある。
【００１５】
【課題を解決するための手段】
本発明は、負荷短絡等の異常発生時にはキックバックエネルギーが大きくなり、これに伴いコンデンサＣ0へのエネルギー回生による充電電圧が高く、充電開始から充電終了までの充電時間が短くなることに着目し、この充電時間監視又は充電電圧監視により異常発生を検出するようにしたもので、以下の構成並びに方法を特徴とする。
【００１６】
（第１の発明）
初期充電されるコンデンサから半導体スイッチのオン制御でパルス電流を発生するパルス発生回路と、前記パルス電流を磁気圧縮して負荷に供給する磁気パルス圧縮回路とを備え、前記パルス発生回路は負荷側からのキックバック電流を前記コンデンサの充電電流としてエネルギーを回生するパルス電源において、
前記エネルギー回生後の前記コンデンサの充電開始から充電終了までの計時をする計時手段と、
正常時の前記コンデンサの充電開始から充電終了までの充電時間が設定され、この充電時間に対して前記計時手段の計時時間が短いときに前記負荷及び磁気パルス圧縮回路の異常検出出力を得る比較回路とを備えたことを特徴とする。
【００１７】
（第２の発明）
初期充電されるコンデンサから半導体スイッチのオン制御でパルス電流を発生するパルス発生回路と、前記パルス電流を磁気圧縮して負荷に供給する磁気パルス圧縮回路とを備え、前記パルス発生回路は負荷側からのキックバック電流を前記コンデンサの充電電流としてエネルギーを回生するパルス電源において、
前記エネルギー回生後の前記コンデンサの充電開始から充電終了までの充電時間が正常時の充電時間以下のときに前記負荷及び磁気パルス圧縮回路の異常と判定することを特徴とする。
【００１８】
（第３の発明）
初期充電されるコンデンサから半導体スイッチのオン制御でパルス電流を発生するパルス発生回路と、前記パルス電流を磁気圧縮して負荷に供給する磁気パルス圧縮回路とを備え、前記パルス発生回路は負荷側からのキックバック電流を前記コンデンサの充電電流としてエネルギーを回生するパルス電源において、
前記エネルギー回生後の前記コンデンサの充電電圧レベルが正常時の充電電圧を越えるときに前記負荷及び磁気パルス圧縮回路の異常と判定することを特徴とする。
【００１９】
【発明の実施の形態】
図１は、本発明の実施形態を示す異常検出装置であり、図３と同等の主回路部分は同じ符号で示す。
【００２０】
制御回路５は、負荷装置４が要求するパルス電流の発生周期及び電流レベルに従ってパルス発生回路１の半導体スイッチＳＷ，ＳＷ0をオン・オフ制御すると共に、充電器２の運転・停止制御を行う。なお、パルス発生回路１の制御にはキックバックエネルギーの回生制御も含まれる。
【００２１】
計時手段になるカウンタ６は、制御回路５がキックバックエネルギーの回生制御を実行した後のコンデンサＣ0の充電開始制御をするタイミングでクロックの計数を開始し、コンデンサＣ0が所定電圧まで充電されたときの充電終了で計数を停止し、この計数によりコンデンサＣ0の充電開始から終了までの充電時間に対応する計数値を得る。
【００２２】
充電検出回路７は、抵抗分圧回路等の電圧検出器により検出されるコンデンサＣ0の充電電圧と設定電圧の比較により、コンデンサＣ0が所定レベルまで充電されたことを検出し、コンデンサＣ0の充電終了の検出信号を得る。
【００２３】
比較回路８は、コンデンサＣ0の充電終了時にカウンタ６の値と設定値を比較し、カウンタ６の値が設定値以下になるとき、すなわちコンデンサＣ0の充電が一定時間以下で終了するときに負荷側の短絡等の異常検出出力を得る。この異常検出出力では警報器（図示省略）での警報発生と共に、制御回路５に保護指令として与えることで制御回路５が回路保護（例えばスイッチＳＷ，ＳＷ0のオフ）制御を行う。
【００２４】
本実施形態による異常検出動作を図２を参照して説明する。同図の（ａ）は正常動作時のコンデンサＣ0の電圧波形を示し、（ｂ）は負荷短絡等の異常発生時のコンデンサＣ0の電圧波形を示す。
【００２５】
正常時は、時刻ｔ1でコンデンサＣ0の放電を行い、負荷にパルス電流を供給して時刻ｔ2で負荷側からのキックバック電流でコンデンサＣ0が逆極性に充電される。そして、時刻ｔ3でコンデンサＣ0を初期充電方向に反転充電し、時刻ｔ4でコンデンサＣ0の充電を開始し、この充電電圧が所定値に達した時刻ｔ5で充電終了とする。
【００２６】
これに対して、異常時は、時刻ｔ2には負荷側からのキックバック電流が大きくなる。これは、コンデンサＣ0から負荷側に与えたエネルギーが正常時には負荷で消費されるのに対して、短絡発生時は負荷で消費されることなく大きなキックバック電流が発生することによる。
【００２７】
このため、大きなキックバック電流でコンデンサＣ0の充電電圧が大きくなり、時刻ｔ3での反転充電電圧も大きくなる。このため、異常時は、時刻ｔ4からの充電開始時の電圧が高くなり、この電圧からの充電開始では充電終了時刻ｔ5までの充電時間Ｔが正常時に比べて短くなる。
【００２８】
これら現象から、図１のカウンタ６が充電開始から終了までの計時を行い、この時間が比較回路８に設定する正常な充電時間以下の時は異常として検出できる。また、異常発生時には時刻ｔ2〜ｔ3又は時刻ｔ3〜ｔ4でのコンデンサＣ0の充電電圧レベルが正常時に比べて高くなることから、この充電電圧レベル検出と正常値との比較で異常検出することができる。
【００２９】
なお、異常検出は、負荷装置４の短絡に限らず、磁気パルス圧縮回路３のコンデンサＣ1，Ｃ2の短絡故障など、パルス発生回路１の後段での短絡故障を検出できる。
【００３０】
また、パルス発生回路１のコンデンサＣ0の短絡故障などの異常は、充電開始から充電終了までの充電時間Ｔが比較回路８の設定時間よりも長くなることの検出で可能となるし、充電器２の出力電流が過大になることから検出することもできる。
【００３１】
【発明の効果】
以上のとおり、本発明によれば、コンデンサＣ0へのエネルギー回生による充電時間監視又は充電電圧レベル監視により負荷短絡等の異常発生を検出するようにしたため、以下の効果がある。
【００３２】
（１）異常検出装置としては、特別な高電圧やパルス幅の狭い大電流を計測するための大型で高価な検出器を不要にし、少しの電子回路の付加で済む。
【００３３】
（２）異常検出は、コンデンサの充電時に得ることができ、従来の光による検出に比べて遅れを少なくした検出ができる。これに伴い、主回路の短絡耐量を軽減し、その大型化やコスト高を招くこともなくなる。
【図面の簡単な説明】
【図１】本発明の実施形態を示すパルス電源の異常検出装置。
【図２】実施形態における正常時と異常時のコンデンサＣ0の電圧波形。
【図３】パルス電源回路例。
【符号の説明】
１…パルス発生回路
２…充電器
３…磁気パルス圧縮回路
４…負荷装置
ＳＷ、ＳＷ0…半導体スイッチ
ＳＩ0〜ＳＩ3…可飽和リアクトル
Ｃ0、Ｃ1、Ｃ2、ＣP…コンデンサ
５…制御回路
６…カウンタ
７…充電検出回路
８…比較回路
【図１】
0003794112.tif 000002
【図２】
0003794112.tif 000003
【図３】
0003794112.tif 000004